(57)【要約】【課題】  一体成形により部分的にレンズ作用をもたせたパネルを備える水槽を提供することを課題とする。【解決手段】  少なくとも１枚のパネル１１を有し、前記パネル１１の一部にレンズ１１ａ、１１ｂを備える水槽であり、前記レンズ１１ａ、１１ｂは、前記パネル１１に一体成形してある。【選択図】        図１
2005058041.tif 000002
【特許請求の範囲】
【請求項１】
少なくとも１枚のパネルを有し、前記パネルの一部にレンズを備える水槽において、
前記レンズは、前記パネルに一体成形してある、水槽。
【請求項２】
前記レンズは、前記パネルの両面に一体成形してある、水槽。
【発明の詳細な説明】
【技術分野】
【０００１】
本発明は、本体にレンズを備える水槽に関する。
【背景技術】
【０００２】
従来、図５（Ａ）に記すように、例えば本体１０の正面にレンズを備える水槽は、透過性を有し樹脂成形の正面パネル１１の外側（空気側）にフレネルレンズ１１ｃを一体接着したパネル（図５（Ｂ）参照）を正面パネル１１として、側面パネル１２、１４、背面パネル１３、底パネル１５、蓋パネル１６を接合して水槽を形成していた。もしくは、図示しないが本体１０の正面パネル１１を直接フレネルレンズ１１ｃにして、上記同様に側面パネル１２、１４、背面パネル１３、底パネル１５、蓋パネル１６を接合して水槽を形成していた。
【０００３】
しかしこれらの場合には、前者では正面パネル１１とフレネルレンズ１１ｃとの接着が必要であるため水槽の製造作業の作業性が悪かった。また、正面パネル１１全面にフレネルレンズ１１ｃを接着すれば、正面から見ると全てフレネルレンズ１１ｃであるため出来あがり製品の見栄えは良かったが、水槽内の魚を鑑賞すると全て拡大されて見え、現物サイズの魚との比較も出来ず鑑賞の面白みがなかった。そのため、正面パネル１１の一部のみにフレネルレンズ１１ｃを接着すれば鑑賞の面白みは増したが、正面パネル１１の一部がフレネルレンズ１１ｃとなるため出来あがり製品の見栄えが悪くなった。また、後者では正面パネル１１をフレネルレンズ１１ｃとしているために、上述した正面パネル１１全面にフレネルレンズ１１ｃを接着した状態と同じ問題が発生していた。
【特許文献１】実開昭５７−４９６３号公報
【特許文献２】実開平４−１９１６３号公報
【発明の開示】
【発明が解決しようとする課題】
【０００４】
本発明は、このような点に鑑みて創案されたものであり、一体成形により部分的にレンズ作用をもたせたパネルを備える水槽を提供することを課題とする。
【課題を解決するための手段】
【０００５】
上記課題を解決するための手段として、請求項１に記載の水槽は、透過性を有し樹脂成形の少なくとも１枚のパネルを有する構成で、前記パネルの一部には所定の成形方法（例えば、プレス成形、真空成形、圧送成形等）でレンズを一体成形してある水槽である。そのため、水槽内の魚を前記レンズを介して拡大または縮小して鑑賞できる。また、前記レンズは前記パネルに一体成形であるために、見栄えが良い状態である。
【０００６】
請求項２に記載の水槽は、前記パネルの両面に前記レンズを一体成形してある水槽である。そのために、パネルの外側（空気側）に向けて突出の凸レンズと前記パネルの内側（水側）に向けて突出の凹レンズを備えており、前記凸レンズを介して魚を鑑賞すると実寸サイズより拡大して鑑賞でき、前記凹レンズを介して魚を鑑賞すると実寸サイズより縮小して鑑賞できるため、鑑賞者にとって知的興味を呼び起こすことができる。
【発明の効果】
【０００７】
請求項１に記載の水槽を用いれば、水槽内の魚をレンズを介して拡大または縮小して鑑賞できる。また、前記レンズは前記パネルに一体成形であるために、見栄えが良い状態である。
【０００８】
請求項２に記載の水槽を用いれば、パネルの外側（空気側）に向けて突出の凸レンズと前記パネルの内側（水側）に向けて突出の凹レンズを備えており、前記凸レンズを介して魚を鑑賞すると実寸サイズより拡大して鑑賞でき、前記凹レンズを介して魚を鑑賞すると実寸サイズより縮小して鑑賞できるため、鑑賞者にとって知的興味を呼び起こすことができる。
【発明を実施するための最良の形態】
【０００９】
以下に本発明を実施するための最良の形態を図面を用いて説明する。なお、本実施例は従来の水槽の一部を改良したものであり、従来例と同一作用の部材には同一符号を附し説明を省略する。
【実施例】
【００１０】
図１（Ａ）は、本発明に係る水槽の全体斜視図である。また、図１（Ｂ）は、図１（Ａ）のＡ−Ａ断面図である。また、図１（Ｃ）は、図１（Ａ）のＢ−Ｂ断面図である。
【００１１】
図１（Ａ）に記す水槽は、透過性を有し樹脂成形の正面パネル１１、側面パネル１２、１４、背面パネル１３、底パネル１５、蓋パネル１６を接合して本体１０を形成している。そして、その正面パネル１１には、所定の成形方法（例えば、プレス成形、真空成形、圧送成形等）で外側（空気側）に向けて突出の御椀体１１ａ、及び内側（水側）に向けて突出の御椀体１１ｂが形成してある。これらの各御椀体１１ａ、１１ｂは湾曲によりレンズ作用を備えているため、各御椀体１１ａ、１１ｂを凸レンズ１１ａ、凹レンズ１１ｂと記す。以下に、前記の所定の成形方法について個別に説明する。
【００１２】
まず、図２を参照してプレス成形について説明する。プレス成形とは、予め加熱し軟化させた正面パネル１１を上金型２１と下金型２２との間に挟みこむ。この上金型２１には、下金型２２との接合面に向けて突出した御椀状の凸部２１ａと凹部２１ｂが設けてあり、同様に下金型２２には、上金型２２との接合面に向けて突出した御椀状の凸部２２ａと凹部２２ｂが設けてあり、前記凸部２１ａは前記凹部２２ｂへ、また前記凸部２２ａは前記凹部２１ｂへ各々嵌合可能である。そのため、上述したように正面パネル１１を各金型２１、２２に挟み込み圧縮すると、前記凸部２１ａと前記凹部２２ｂに対応した御椀体１１ａと前記凸部２２ａと前記凹部２１ｂに対応した御椀体１１ｂが形成される。そして冷却後に各金型２１、２２から正面パネル１１を取り外すと、凸レンズ１１ａと凹レンズ１１ｂが各々正面パネル１１に一体に形成された正面パネル１１ができあがる。
【００１３】
次に、図３を参照して真空成形について説明する。真空成形とは、正面パネル１１の一方の面を表面２３ａを御椀状に窪ませた凹部２３ｂを設けた金型２３に固定して加熱し軟化させる。そして、正面パネル１１に覆われた前記凹部２３ｂのキャビティ内の空気を前記凹部２３ｂの湾局面に形成の挿通孔２３ｃから真空ポンプ２４で吸引し、真空状態にすることによって正面パネル１１を凹部２３ｂに密着させて御椀体１１ａを成形する。また、正面パネル１１の他方の面も同様に真空引きをして御椀体１１ｂを形成する。そして冷却後に真空をきって正面パネル１１を取り外すと、凸レンズ１１ａと凹レンズ１１ｂが各々正面パネル１１に一体に形成された正面パネル１１ができあがる。
【００１４】
次に、図４を参照して圧送成形について説明する。圧送成形とは、加熱し軟化させた正面パネル１１の一方の面を表面２５ａを御椀状に窪ませた凹部２５ｂを設けた金型２５に固定する。そして、正面パネル１１に圧縮ポンプ２６で圧縮空気を吹き付けると、正面パネル１１には前記凹部２５ｂに対応して御椀体１１ａが形成される。また、正面パネル１１の他方の面も同様に圧縮空気を吹き付けて御椀体１１ｂを形成する。そして冷却後に圧縮空気をきって正面パネル１１を取り外すと、凸レンズ１１ａと凹レンズ１１ｂが各々正面パネル１１に一体に形成された正面パネル１１ができあがる。
【００１５】
そして上述したいずれかの成形方法で成形した正面パネル１１を使用した本体１０の中に水と魚３０を入れて魚３０を鑑賞する。そして、図１（Ｂ）に記すように凸レンズ１１ａを介さずに魚３０を鑑賞（図示する例では目線が上段での鑑賞）すると、略実寸サイズで魚３０ａを鑑賞できる。また凸レンズ１１ａを介して魚３０を鑑賞（図示する例では目線が下段での鑑賞）すると、実寸より拡大したサイズで魚３０ｂを鑑賞できる。
【００１６】
同様に、図１（Ｃ）に記すように凹レンズ１１ｂを介さずに魚３０を鑑賞（図示する例では目線が下段での鑑賞）すると、略実寸サイズで魚３０ａを鑑賞できる。また凹レンズ１１ｂを介して魚３０を鑑賞すると、実寸より縮小したサイズで魚３０ｃを鑑賞（図示する例では目線が上段での鑑賞）できる。
【００１７】
このように正面パネル１１に凸レンズ１１ａ及び凹レンズ１１ｂが形成してあると、略実寸サイズだけでなく、実寸より拡大、及び縮小したサイズで魚３０を鑑賞できるため、鑑賞者にとって知的興味を呼び起こすことができる。また、各レンズ１１ａ、１１ｂは正面パネル１１に一体成形であるため、見栄えが良い状態である。
【００１８】
上述した内容は、あくまでも本発明の一実施の形態に関するものであって、本発明が上記内容に限定されることを意味するものではない。
例えば、実施例では正面パネル１１に凸レンズ１１ａ、凹レンズ１１ｂを各１ケずつ設ける例を説明したが、これに限定されるものでなく、例えば各レンズ１１ａ、１１ｂをいずれか一方のみ設けてもよいし、または各レンズ１１ａ、１１ｂのみを複数設けてもよいし、または各レンズ１１ａ、１１ｂを複数組み合わせてもよい。
また、実施例では正面パネル１１に凸レンズ１１ａ、凹レンズ１１ｂを各１ケずつ設ける例を説明したが、これに限定されるものでなく、例えば側面パネル１２、１４または蓋パネル１６等にも各レンズ１１ａ、１１ｂを設けてもよい。
また、実施例では正面パネル１１の一部に各レンズ１１ａ、１１ｂを一体成形する方法として、金型成形、真空成形、圧送成形で成形する方法を説明したが、これに限定されるものではなく、正面パネル１１の一部に各レンズ１１ａ、１１ｂを一体成形できればよい。
【図面の簡単な説明】
【００１９】
【図１】本発明に係る水槽について説明する図である。
【図２】本発明に係る水槽の正面パネル１１をプレス成形で成形する方法ついて説明する図である。
【図３】本発明に係る水槽の正面パネル１１を真空成形で成形する方法ついて説明する図である。
【図４】本発明に係る水槽の正面パネル１１を圧送成形で成形する方法ついて説明する図である。
【図５】従来の水槽について説明する図である。
【符号の説明】
【００２０】
１０    本体
１１    正面パネル
１１ａ  御椀体（凸レンズ）
１１ｂ  御椀体（凹レンズ）
１１ｃ  フレネルレンズ
１２、１４    側面パネル
１３    背面パネル
１５    底パネル
１６    蓋パネル
３０、３０ａ、３０ｂ  魚
【図１】
2005058041.tif 000003
【図２】
2005058041.tif 000004
【図３】
2005058041.tif 000005
【図４】
2005058041.tif 000006
【図５】
2005058041.tif 000007